【手続補正書】
【提出日】平成26年12月2日(2014.12.2)
【手続補正１】
【補正対象書類名】明細書
【補正対象項目名】発明の名称
【補正方法】変更
【補正の内容】
【発明の名称】通信装置およびその制御方法
【手続補正２】
【補正対象書類名】明細書
【補正対象項目名】０００１
【補正方法】変更
【補正の内容】
【０００１】
本発明は通信装置およびその制御方法に関し、特にはネットワーク内のデバイスと接続を確立する通信装置およびその制御方法に関する。
【手続補正３】
【補正対象書類名】明細書
【補正対象項目名】００１１
【補正方法】変更
【補正の内容】
【００１１】
本発明は、ネットワーク内のデバイスをディスカバリするためのディスカバリプロトコルを用いて、ネットワーク内のデバイスとの接続を容易に行うことのできる通信装置およびその制御方法を提供することを目的とする。
【手続補正４】
【補正対象書類名】明細書
【補正対象項目名】００１２
【補正方法】変更
【補正の内容】
【００１２】
上述の目的は、ネットワーク内のデバイスをディスカバリするためのディスカバリプロトコルを用いてデバイスとの接続を確立する、撮像手段を有する通信装置であって、ネットワーク内のデバイスをサーチするサーチコマンドを送信する第１の送信手段と、サーチコマンドに応答してネットワーク内のデバイスから送信されたデバイス情報を受信する第１の受信手段と、第１の受信手段により受信したデバイス情報に基づき、いずれかのデバイスを選択する第１の選択手段と、第１の選択手段による選択の後、ネットワーク内のデバイスに対して通信装置の存在を通知する通知信号を送信する第２の送信手段と、を有することを特徴とする撮像手段を有する通信装置によって達成される。
【手続補正５】
【補正対象書類名】明細書
【補正対象項目名】００１３
【補正方法】変更
【補正の内容】
【００１３】
本発明によれば、ネットワーク内のデバイスをディスカバリするためのディスカバリプロトコルを用いて、ネットワーク内のデバイスとの接続を容易に行うことのできる通信装置およびその制御方法を提供することが可能となる。
【手続補正６】
【補正対象書類名】明細書
【補正対象項目名】００１６
【補正方法】変更
【補正の内容】
【００１６】
［デジタルカメラの構成］
以下の説明では、本発明に係る通信装置の一例として、静止画や動画が撮影可能なデジタルカメラについて説明する。なお、いわゆるカメラ付き携帯電話やカメラ付きのタブレットデバイスのように、デジタルカメラを備えた機器も通信装置の一例である。
【手続補正７】
【補正対象書類名】明細書
【補正対象項目名】０１３９
【補正方法】変更
【補正の内容】
【０１３９】
また、本実施形態では無線通信機能を内蔵した装置であるデジタルカメラ１００を通信装置の一例にあげて説明したが、他の機器に装着可能な、無線通信機能を提供する機器にも本発明を適用できる。例えば、記録媒体１４１が無線通信可能な記録メディアであれば、記録媒体１４１が無線通信を制御する構成としても構わない。この場合、本実施形態と同様の制御を、無線通信が可能な記録媒体１４１の不図示の無線回路部に対して行う。
【手続補正８】
【補正対象書類名】特許請求の範囲
【補正対象項目名】全文
【補正方法】変更
【補正の内容】
【特許請求の範囲】
【請求項１】
ネットワーク内のデバイスをディスカバリするためのディスカバリプロトコルを用いて前記デバイスとの接続を確立する、撮像手段を有する通信装置であって、
前記ネットワーク内のデバイスをサーチするサーチコマンドを送信する第１の送信手段と、
前記サーチコマンドに応答して前記ネットワーク内のデバイスから送信されたデバイス情報を受信する第１の受信手段と、
前記第１の受信手段により受信したデバイス情報に基づき、いずれかのデバイスを選択する第１の選択手段と、
前記第１の選択手段による選択の後、前記ネットワーク内のデバイスに対して前記通信装置の存在を通知する通知信号を送信する第２の送信手段と、
を有することを特徴とする撮像手段を有する通信装置。
【請求項２】
前記第１の受信手段により受信されたデバイス情報を表示する表示手段をさらに有し、
前記第１の選択手段は、前記表示手段に表示されたデバイス情報に基づき、いずれかのデバイスを選択することを特徴とする請求項１記載の撮像手段を有する通信装置。
【請求項３】
前記第１の受信手段により受信されたデバイス情報は、該デバイス情報を送信したデバイスが提供するサービスの情報を含み、
前記表示手段は、所定のサービスを提供するデバイスのデバイス情報を表示することを特徴とする請求項２記載の撮像手段を有する通信装置。
【請求項４】
前記第２の送信手段により通知信号を送信した後、前記第１の選択手段により選択されたデバイスに基づき、接続を確立する相手を決定する決定手段をさらに有する請求項１乃至請求項３のいずれか１項に記載の撮像手段を有する通信装置。
【請求項５】
前記決定手段は、前記第１の選択手段により選択されていないデバイスは前記接続を確立する相手として決定しないことを特徴とする請求項４に記載の撮像手段を有する通信装置。
【請求項６】
前記決定手段により接続を確立する相手として決定されたデバイスと接続を確立した後、接続を確立したデバイスを接続先として登録する登録手段と、
他のデバイスと接続を確立していない状態で、前記登録手段により登録されたデバイスからいずれかのデバイスを選択する第２の選択手段と、をさらに有し、
前記第２の選択手段によりデバイスが選択された場合、前記第１の送信手段により前記サーチコマンドを送信することなく、前記第２の送信手段により通知信号を送信することを特徴とする請求項４または請求項５に記載の撮像手段を有する通信装置。
【請求項７】
前記決定手段により接続を確立する相手として決定されたデバイスと接続を確立した後、当該デバイスとデータ転送プロトコルを用いてデータ通信することを特徴とする請求項４乃至請求項６のいずれか１項に記載の撮像手段を有する通信装置。
【請求項８】
前記データ転送プロトコルはPTP/IPであることを特徴とする請求項７記載の撮像手段を有する通信装置。
【請求項９】
前記第１の受信手段が受信するデバイス情報はディスカバリプロトコルの種類を含むことを特徴とする請求項１乃至請求項８のいずれか１項に記載の撮像手段を有する通信装置。
【請求項１０】
前記通信装置は撮像装置、携帯電話、タブレットデバイスのいずれかであることを特徴とする請求項１乃至請求項９のいずれか１項に記載の撮像手段を有する通信装置。
【請求項１１】
前記デバイスは撮像装置、携帯電話、タブレットデバイス、プリンタ、テレビのいずれかであることを特徴とする請求項１乃至請求項１０のいずれか１項に記載の撮像手段を有する通信装置。
【請求項１２】
前記ディスカバリプロトコルはUPnPまたはBonjourであることを特徴とする請求項１乃至請求項１１のいずれか１項に記載の撮像手段を有する通信装置。
【請求項１３】
前記通信装置は、複数種類のディスカバリプロトコルを利用可能であることを特徴とする請求項１乃至請求項１２のいずれか１項に記載の撮像手段を有する通信装置。
【請求項１４】
前記通信装置は、ディスカバリプロトコルとしてUPnP及びBonjourを利用可能であることを特徴とする請求項１乃至請求項１３のいずれか１項に記載の撮像手段を有する通信装置。
【請求項１５】
ネットワーク内のデバイスをディスカバリするためのディスカバリプロトコルを用いて前記デバイスとの接続を確立する、撮像手段を有する通信装置の制御方法であって、
第１の送信手段が、前記ネットワーク内のデバイスをサーチするサーチコマンドを送信する第１の送信ステップと、
第１の受信手段が、前記サーチコマンドに応答して前記ネットワーク内のデバイスから送信されたデバイス情報を受信する第１の受信ステップと、
第１の選択手段が、前記第１の受信ステップで受信したデバイス情報に基づき、いずれかのデバイスを選択する第１の選択ステップと、
第２の送信手段が、前記第１の選択ステップにおける選択の後、前記ネットワーク内のデバイスに対して前記通信装置の存在を通知する通知信号を送信する第２の送信ステップと、を有することを特徴とする撮像手段を有する通信装置の制御方法。
【請求項１６】
コンピュータを、請求項１乃至請求項１４のいずれか１項に記載の撮像手段を有する通信装置として機能させるためのプログラム。